(57)【要約】【課題】ユーザの操作を必要とすることなく、通話相手、通話時刻、ユーザ位置などの通信属性に応じて通信端末や通信メディアを最適化するセッション制御システムを提供する。【解決手段】位置管理サーバ１１は、各通信端末UEの位置を管理する。プリファレンス管理サーバ１２は、各端末ユーザのプリファレンス情報を管理し、各ユーザの現在位置、通信時刻、通信時の暦（曜日、月、祝祭日など）、通信相手などの条件に合致する通信端末や通信メディアを決定する。セッション制御サーバ１３はAS(Application Server)として機能し、相互に通信する一方側および他方側で利用される通信端末や通信メディアに応じて通信セッションを制御する。プリファレンス管理サーバ１２では、ユーザごとに通信相手、通信時間帯、曜日などの暦、ユーザ位置等の通信属性をプリファレンスの条件として、利用する通信端末および通信メディアが予め定義されている。【選択図】図１
2011155355.tif 000002
【特許請求の範囲】
【請求項１】
相互に通信する一方側と他方側との間に通信端末および通信メディアに応じたセッションを確立するセッション制御システムにおいて、
前記一方側および他方側の通信属性を管理する通信属性管理手段と、
前記一方側および他方側のユーザのプリファレンス情報を管理し、利用する通信端末および通信メディアを前記通信属性とプリファレンスとの照合結果に基づいて決定するプリファレンス管理手段と、
前記プリファレンス管理手段で決定された通信端末および通信メディアによる通信用のセッションを前記一方側と他方側との間に確立するセッション制御手段とを具備したことを特徴とするセッション制御システム。
【請求項２】
前記プリファレンス管理手段は、前記一方側が他方側に発呼する際に、当該一方側で利用する通信端末および通信メディアを当該一方側の通信属性に基づいて決定することを特徴とする請求項１に記載のセッション制御システム。
【請求項３】
前記プリファレンス管理手段は、前記他方側が一方側から着呼する際に、当該他方側で利用する端末および通信メディアを当該他方側の通信属性に基づいて決定することを特徴とする請求項１に記載のセッション制御システム。
【請求項４】
前記プリファレンス管理手段は、一方側と他方側との通信中に前記一方側の通信属性が変化すると、当該一方側で利用する端末および通信メディアを当該一方側の前記変化した通信属性に基づいて決定することを特徴とする請求項１に記載のセッション制御システム。
【請求項５】
前記プリファレンス管理手段およびセッション制御手段は、前記一方側で利用する端末および通信メディアが当該一方側の通信属性の変化に応じて切り替えられると、前記他方側で利用する端末および通信メディアを当該他方側の通信属性に応じて切り替えることを特徴とする請求項１に記載のセッション制御システム。
【請求項６】
前記プリファレンス管理手段およびセッション制御手段は、前記一方側で利用する端末および通信メディアを当該一方側の通信属性の変化に応じて切り替える際、当該切り替えの確認要求を他方側へ送信し、当該他方側から確認応答が返信されると切り替えを実行することを特徴とする請求項５に記載のセッション制御システム。
【請求項７】
前記通信属性管理手段が一方側および他方側のユーザ位置を管理し、
前記プリファレンス情報が、一方側および他方側のユーザ位置を条件に前記利用する通信端末および通信メディアを定義する情報を含むことを特徴とする請求項１ないし６のいずれかに記載のセッション制御システム。
【請求項８】
前記通信属性管理手段が一方側および他方側の通信相手を管理し、
前記プリファレンス情報が、前記通信相手を条件に前記利用する通信端末および通信メディアを定義する情報を含むことを特徴とする請求項７に記載のセッション制御システム。
【請求項９】
前記通信属性管理手段が一方側および他方側の通信時刻を管理し、
前記プリファレンス情報が、前記通信時刻を条件に前記利用する通信端末および通信メディアを定義する情報を含むことを特徴とする請求項７または８に記載のセッション制御システム。
【発明の詳細な説明】
【技術分野】
【０００１】
本発明は、相互に通信する一方側および他方側のユーザが利用する通信端末や通信メディアを、通信相手、通信時刻あるいは通話時のユーザ位置などの通信属性に応じて最適化するセッション制御システムに関する。
【背景技術】
【０００２】
特許文献１には、あるユーザが所有する複数の端末の通信セッションを通信中に動的に切り替える方法が開示されている。具体的には、セッション管理サーバをネットワーク上に設置し、通信中のセッション情報を管理する。セッション管理サーバが通信端末からセッション切り替え要求を受信すると、現在のセッション情報と照合することで、通信セッションを切り替えるためのセッション変更情報およびセッション変更情報を通知する通信端末を決定し、当該通信端末にセッション変更情報を通知する。セッション変更情報を受信した端末は、その情報にしたがってセッションの接続先や利用するメディアを変更する。
【先行技術文献】
【特許文献】
【０００３】
【特許文献１】特開２００６−２３７８１５号公報
【発明の概要】
【発明が解決しようとする課題】
【０００４】
上記の従来技術では、セッション切り替えの要求は通信端末からしか行えない。したがって、通信相手、通信時刻、ユーザ位置などの通信属性に応じて最適な通信端末や通信メディアを利用するためには、その都度、ユーザの操作によるセッション切り替え要求の作成およびその送信が必要であった。
【０００５】
本発明の目的は、上記した従来技術の課題を解決し、端末ユーザの操作を必要とすることなく、通信相手、通信時刻あるいはユーザ位置などの通信属性に応じて通信端末や通信メディアを最適化できるセッション制御システムを提供することにある。
【課題を解決するための手段】
【０００６】
上記の目的を達成するために、本発明は、相互に通信する一方側と他方側との間に通信端末および通信メディアに応じたセッションを確立するセッション制御システムにおいて、以下のような手段を講じた点に特徴がある。
【０００７】
(1)一方側および他方側の通信属性を管理する通信属性管理手段と、一方側および他方側で通信するユーザのプリファレンス情報を管理し、通信端末および通信メディアを前記通信属性とプリファレンスとの照合結果に基づいて決定するプリファレンス管理手段と、プリファレンス管理手段で決定された通信端末および通信メディアによる通信用のセッションを前記一方側と他方側との間に確立するセッション制御手段とを具備したことを特徴とする。
【０００８】
(2)プリファレンス管理手段は、一方側が他方側に発呼する際に、当該一方側で利用する通信端末および通信メディアを当該一方側の通信属性に基づいて決定することを特徴とする。
【０００９】
(3)プリファレンス管理手段は、他方側が一方側から着呼する際に、当該他方側で利用する端末および通信メディアを当該他方側の通信属性に基づいて決定することを特徴とする。
【００１０】
(4)プリファレンス管理手段は、一方側と他方側との通信中に、前記一方側の通信属性が変化すると、当該一方側で利用する端末および通信メディアを当該一方側の前記変化した通信属性に基づいて決定することを特徴とする。
【００１１】
(5)プリファレンス管理手段およびセッション制御手段は、一方側で利用する端末および通信メディアが当該一方側の通信属性の変化に応じて切り替えられると、他方側で利用する端末および通信メディアを当該他方側の通信属性に応じて切り替えることを特徴とする。
【００１２】
(6)プリファレンス管理手段およびセッション制御手段は、一方側で利用する端末および通信メディアを当該一方側の通信属性の変化に応じて切り替える際、当該切り替えの確認要求を他方側へ送信し、当該他方側から確認応答が返信されると切り替えを実行することを特徴とする。
【発明の効果】
【００１３】
本発明によれば、以下のような効果が達成される。
【００１４】
(1)相互に通信する一方側および他方側の通信属性に基づいてプリファレンス情報が照合され、プリファレンスの条件を満足する通信端末および通信メディアによる通信を実現するセッション確立やセッション切替がユーザの介在無しに自動的に行われるので、各ユーザは煩雑な操作無しに通信属性に応じて所望の通信端末や通信メディアによる通信が可能になる。
【００１５】
(2)発呼時に発側の通信属性に基づいてプリファレンス情報が照合され、プリファレンスの条件を満足する通信端末および通信メディアによる通信を実現するセッションがユーザの介在無しに自動的に確立されるので、各ユーザは煩雑な操作無しに通信の開始時から所望の通信端末および通信メディアによる通信が可能になる。
【００１６】
(3)着呼時に着側の通信属性に基づいてプリファレンス情報が照合され、プリファレンスの条件を満足する通信端末および通信メディアによる通信を実現するセッションがユーザの介在無しに自動的に確立されるので、各ユーザは煩雑な操作無しに通信の開始時から所望の通信端末および通信メディアによる通信が可能になる。
【００１７】
(4)通信中に通信属性が変化すると、変化した通信属性に基づいてプリファレンス情報が照合され、プリファレンスの条件を満足する通信端末および通信メディアによる通信を実現するセッションへの切り替えがユーザの介在無しに自動的に行われるので、各ユーザは煩雑な操作無しに、通信属性の変化にかかわらず常に所望の通信端末および通信メディアによる通信が可能になる。
【００１８】
(5)一方側で利用する端末および通信メディアが当該一方側の通信属性の変化に応じて切り替えられると、他方側で利用する端末および通信メディアが、当該他方側の通信属性および前記要求側の切り替え内容に応じて切り替えられるので、相手端末および自身の通信属性に適した通信端末および通信メディアによる通信が可能になる。
【００１９】
(6)一方側で利用する端末および通信メディアを当該一方側の通信属性の変化に応じて切り替える際、切り替えの確認要求が他方側へ送信され、当該他方側から確認応答が返信されるのを待って切り替えが実行されるので、一方側において他方側での対応が不可能な端末および通信メディアへの切り替えが行われてしまうことを防止できる。
【図面の簡単な説明】
【００２０】
【図１】本発明が適用されるネットワークの構成を示したブロック図である。
【図２】プリファレンス情報の一例を示した図である。
【図３】本発明の第１実施形態の動作を示したシーケンスフローである。
【図４】本発明の第２実施形態の動作を示したシーケンスフローである。
【図５】本発明の第３実施形態の動作を示したシーケンスフローである。
【図６】本発明の第４実施形態の動作を示したシーケンスフローである。
【発明を実施するための形態】
【００２１】
以下、図面を参照して本発明の実施の形態について詳細に説明する。図１は、本発明が適用されるネットワークの構成を示したブロック図である。
【００２２】
位置管理サーバ１１は、各通信端末UEの現在位置を測位して管理する。プリファレンス管理サーバ１２は、各端末ユーザのプリファレンス情報を管理し、各ユーザの現在位置、通信時刻、通信時の暦（曜日、月、祝祭日など）、通信相手といった通信属性を前記プリファレンス情報と照合することで、通信に供する通信端末や通信メディアを決定する。セッション制御サーバ１３はAS(Application Server)として機能し、相互に通信する一方側および他方側で利用される通信端末や通信メディアに応じて通信セッションを確立する。本実施形態では、前記ネットワークがIMS(IP Multimedia Subsystem)のSIP網であり、前記位置管理サーバ１１、プリファレンス管理サーバ１２およびセッション制御サーバ１３は、SOAP(Simple Object Access Protocol)を用いて通信を行う。
【００２３】
図２は、前記プリファレンス管理サーバ１２で管理されるプリファレンス情報の一例を示した図であり、ユーザごとに、通信相手、通信時間帯、曜日などの暦、ユーザ位置等の通信属性をプリファレンスの条件として、当該ユーザが所望する通信端末および通信メディアの組み合わせが予め定義されている。例えばエントリ＃１は、通信相手がユーザAであり、通信時間帯が９時〜１７時であり、ユーザ位置が自宅であれば、固定電話で音声メディアを送受し、PCでビデオメディアを送受することをユーザが望んでいることを意味している。なお、「操作端末（被要求時）」は、セッション切替要求を相手端末から受信した際に、その受諾または許否の決定操作を行う端末を定義されており、前記エントリ＃１では「固定電話」で決定操作することをユーザが望んでいることを意味している。
【００２４】
このように、本発明では相互に通信する一方側または他方側における通信相手、通信時間帯、通信時の暦あるいはユーザ位置等の通信属性に基づいて、一方側および他方側の端末ユーザごとに予め登録されているプリファレンス情報が参照され、プリファレンスの条件を満足する通信端末および通信メディアによる通信を実現するセッション確立やセッション切替がユーザの介在無しに自動的に行われる。
【００２５】
なお、本実施形態では便宜上、位置管理サーバ１１、プリファレンス管理サーバ１２およびセッション制御サーバ１３が、それぞれ独立したサーバ装置であるものとして説明するが、本発明はこれのみに限定されるものではなく、３つのサーバ装置の一部または全部の機能が一つのサーバ装置に集約されるようにしても良い。
【実施例１】
【００２６】
図３は、相互に通信する一方側から他方側に発呼する際、プリファレンス情報で予め定義されている通信端末や通信メディアを利用して、ユーザの介在無しに自動的にセッションを確立する手順を示したシーケンスフローである。本実施形態では、プリファレンス管理サーバ１２に発側ユーザのプリファレンス情報が予め登録されている。
【００２７】
ステップＳ１：発側のユーザ端末（以下、UE：User Equipment）1から着側が発呼されると、IMSのiFC(initial Filter Criteria)などを用いて当該発呼がセッション制御サーバ１３に終端される。このとき、発側UE1では利用メディアを指定するための操作は不要である。
【００２８】
ステップＳ２：セッション制御サーバ１３が前記発呼に応答して、プリファレンス管理サーバ１２へ発側ユーザおよび着側ユーザを通知し、発側ユーザのプリファレンス条件に合致する通信端末および通信メディアの組み合わせを問い合わせる。
【００２９】
ステップＳ３：プリファレンス管理サーバ１２が前記問い合わせに応答して、位置管理サーバ１１へ発側UE1の現在位置を問い合わせる。
【００３０】
ステップＳ４：位置管理管理サーバ１１が前記問い合わせに応答して、発側UE1の現在位置をプリファレンス管理サーバ１２へ通知する。
【００３１】
ステップＳ５：プリファレンス管理サーバ１２が、着側ユーザ(発側にとっての通話相手)、現在時刻、発側UE1の現在位置等の通信属性をパラメータとして発側ユーザのプリファレンス情報を参照し、当該通信属性の条件に合致する発側の通信端末および通信メディアの組み合わせを決定する。ここでは、発側UE1が音声、UE2がビデオのメディアを担うように決定されたものとして説明を続ける。
【００３２】
ステップＳ６：プリファレンス管理サーバ１２が、前記決定された発側端末および通信メディアの組み合わせをセッション制御サーバ１３へ通知する。
【００３３】
ステップＳ７：セッション制御サーバ１３が、前記決定された通信メディアに関して着側との間にセッションを確立する。
【００３４】
ステップＳ８：セッション制御サーバ１３が発側UE1との間に音声通信用のセッションを確立する。
【００３５】
ステップＳ９：セッション制御サーバ１３が発側UE2との間にビデオ通信用のセッションを確立する。
【００３６】
ステップＳ１０：発側UE2と着側との間でビデオのメディアが送受される。
【００３７】
ステップＳ１１：発側UE1と着側との間で音声のメディアが送受される。
【００３８】
本実施例１によれば、相互に通信する一方側および他方側の通信属性に基づいてプリファレンス情報が照合され、プリファレンスの条件を満足する通信端末および通信メディアの組み合わせによる通信を実現するセッション確立がユーザの介在無しに自動的に行われるので、各ユーザは煩雑な操作無しに通信属性に応じて所望の通信端末や通信メディアによる通信が可能になる。
【実施例２】
【００３９】
図４は、相互に通信する他方側が一方側から着呼した際に、プリファレンスで予め定義されている通信端末や通信メディアを利用してセッションを確立する手順を示したシーケンスフローである。本実施形態では、プリファレンス管理サーバ１２に着側ユーザのプリファレンス情報が登録されている。
【００４０】
ステップＳ２１：発側からの発呼がIMSのiFCなどを用いてセッション制御サーバ１３に終端される。
【００４１】
ステップＳ２２： セッション制御サーバ１３が前記発呼に応答して、プリファレンス管理サーバ１２へ発側ユーザおよび着側ユーザを通知し、着側ユーザのプリファレンス条件に合致する通信端末および通信メディアの組み合わせを問い合わせる。
【００４２】
ステップＳ２３：プリファレンス管理サーバ１２が前記問い合わせに応答して、位置管理サーバ１１へ着側UE3の現在位置を問い合わせる。
【００４３】
ステップＳ２４：位置管理サーバ１１が前記問い合わせに応答して、着側UE3の現在位置をプリファレンス管理サーバ１２へ通知する。
【００４４】
ステップＳ２５：プリファレンス管理サーバ１２が、発側ユーザ(=着側にとっての通話相手)、現在時刻、着側UE3の現在位置等の通信属性をパラメータとして着側ユーザのプリファレンス情報を参照し、当該通信属性に合致する着側の通信端末および通信メディアの組み合わせを決定する。ここでは、着側UE4が音声、UE3がビデオのメディアを担うように決定されたものとして説明を続ける。
【００４５】
ステップＳ２６：プリファレンス管理サーバ１２が、前記ステップＳ２５で決定された通信端末および通信メディアの組み合わせをセッション制御サーバ１３へ通知する。
【００４６】
ステップＳ２７：セッション制御サーバ１３が、前記ステップＳ２５で決定、通知された通信メディアに関して着側UE4との間にセッションを確立する。なお、発側の要求した通信メディアと前記ステップＳ２５で決定された通信メディアとが異なる場合には、例えば着側で決定された通信メディアを優先するなどの処理が適宜に行われる。
【００４７】
ステップＳ２８：セッション制御サーバ１３が着側UE3との間に音声通信用のセッションを確立する。
【００４８】
ステップＳ２９：セッション制御サーバ１３が、前記決定された通信メディアに関して発側との間にセッションを確立する。
【００４９】
ステップＳ３０：発側と着側UE3との間でビデオのメディアが送受される。
【００５０】
ステップＳ３１：発側と着側UE4との間で音声のメディアが送受される。
【００５１】
本実施例２によれば、着呼時に着側の通信属性に基づいてプリファレンス情報が照合され、プリファレンスの条件を満足する通信端末および通信メディアによる通信を実現するセッションがユーザの介在無しに自動的に確立されるので、各ユーザは煩雑な操作無しに通信の開始時から所望の通信端末および通信メディアによる通信が可能になる。
【実施例３】
【００５２】
図５は、通信中または通話中にユーザの位置すなわちユーザ端末の位置が変化したとき、通信端末および／または通信メディアをプリファレンス情報に基づいて自動的に切り替える手順を示したシーケンスフローである。本実施形態では、プリファレンス管理サーバ１２に要求側ユーザのプリファレンス情報が予め登録されている。
【００５３】
ステップＳ４１：要求側と被要求側との間で通話が開始される。ここでは、要求側UE5のメディアが音声であるものとして説明を続ける。
【００５４】
ステップＳ４２：位置管理サーバ１１が、要求側UE5の現在位置をプリファレンス管理サーバ１２へ通知する。
【００５５】
ステップＳ４３：プリファレンス管理サーバ１２が、前記位置管理サーバ１１から通知された要求側UE5の現在位置を含む通信属性をパラメータとして要求側ユーザのプリファレンス情報を参照し、前記要求側UE5の現在位置に合致する通信端末および通信メディアの組み合わせを決定する。ここでは、要求側ユーザの端末UE6にビデオのメディアを追加する決定がなされたものとして説明を続ける。
【００５６】
ステップＳ４４：プリファレンス管理サーバ１２がセッション制御サーバ１３に対して、ビデオ用の要求側端末をUE6に切り替え、音声用の要求側端末をUE5に切り替えるセッション切り替え要求を行う。
【００５７】
ステップＳ４５：セッション制御サーバ１３が前記切り替え要求に応答して、被要求側においてビデオ用の相手端末をUE6に切り替え、音声用の相手端末をUE5に切り替えるセッション切り替えを行う。
【００５８】
ステップＳ４６：セッション制御サーバ１３が要求側UE6との間にセッションを確立する。
【００５９】
ステップＳ４７：要求側UE6と被要求側との間でビデオのメディアが送受される。
【００６０】
ステップＳ４８：要求側UE5と被要求側との間で音声のメディアが送受される。
【００６１】
本実施例３によれば、通信中に通信属性が変化すると、変化した通信属性に基づいてプリファレンス情報が照合され、プリファレンスの条件を満足する通信端末および通信メディアによる通信を実現するセッションへの切り替えがユーザの介在無しに自動的に行われるので、各ユーザは煩雑な操作無しに、通信属性の変化にかかわらず常に所望の通信端末および通信メディアによる通信が可能になる。
【実施例４】
【００６２】
図６は、切り替え要求が行われた際に、被要求側において要求の受諾・拒否を行う端末を指定する手順を示したシーケンスフローである。ここでは、要求側と被要求側UE7との間で音声通話が開始されているものとする。また、ステップＳ６１において、要求側またはプリファレンス管理サーバからセッション制御サーバ１３へセッションの切り替え要求が行われるまでの手順は上記の各実施形態例と同様なので、その説明は省略する。
【００６３】
ステップＳ６１：要求側において、例えば端末の移動等を契機にしてセッションの切り替え要求が発生すると、当該要求側の端末を収容するセッション制御サーバ（図示せず）と被要求側のセッション制御サーバ１３とが通信し、前記切り替え要求が被要求側のセッション制御サーバ１３に到着する。
【００６４】
ステップＳ６２：セッション制御サーバ１３が前記切り替え要求に応答して、前記プリファレンス管理サーバ１２に対して、被要求側において要求の受諾または拒否を行う制御端末を問い合わせる。
【００６５】
ステップＳ６３：プリファレンス管理サーバ１２が、前記位置管理サーバ１１に対して被要求側の現在位置を問い合わせる。ここでは、被要求側の現在位置を代表できる携帯電話の現在位置が問い合わされる。
【００６６】
ステップＳ６４：位置管理サーバ１１が前記問い合わせに応答して、被要求側の現在位置をプリファレンス管理サーバ１２に通知する。
【００６７】
ステップＳ６５：プリファレンス管理サーバ１２が、要求側ユーザ(=被要求側にとっての通話相手)、現在時刻、自身の現在位置の条件に合致する被要求側端末および制御端末を決定する。ここでは、被要求側UE7のメディアを音声、UE8のメディアをビデオとし、UE7を制御端末とする結果が応答されたものとして説明を続ける。
【００６８】
ステップＳ６６：プリファレンス管理サーバ１２がセッション制御サーバ１３へ、前記プリファレンス決定の結果を応答する。
【００６９】
ステップＳ６７：セッション制御サーバ１３が前記制御端末に決定された被要求側UE7に対して、前記ステップＳ６５で決定された端末および／またはメディアに関する切り替えの受諾または拒否の確認を行う。
【００７０】
ステップＳ６８：被要求側UE7が切り替えを受諾して確認応答を返信する。なお、前記ステップＳ６７，Ｓ６８の手順は省略しても良い。
【００７１】
ステップＳ６９：セッション制御サーバ１３が被要求側UE8に対して新たなセッションの確立を行う。
【００７２】
ステップＳ７０：セッション制御サーバ１３が要求側のセッションの切り替えを行う。
【００７３】
ステップＳ７１：要求側と被要求側UE8との間でビデオのメディアが送受される。
【００７４】
ステップＳ７２：要求側と被要求側UE7との間で音声のメディアが送受される。
【００７５】
実施例４によれば、要求側で利用する端末および通信メディアが当該要求側の通信属性の変化に応じて切り替えられると、被要求側で利用する端末および通信メディアも、当該被要求側の通信属性および前記要求側の切り替え内容に応じて切り替えられるので、相手端末および自身の通信属性に適した通信端末および通信メディアによる通信が可能になる。
【００７６】
さらに、要求側で利用する端末および通信メディアを当該要求側の通信属性の変化に応じて切り替える際、切り替えの確認要求が被要求側へ送信され、当該被要求側から確認応答が返信されるのを待って切り替えが実行されるので、要求側において被要求側での対応が不可能な端末および通信メディアへの切り替えが一方的に行われてしまうことを防止できる。
【符号の説明】
【００７７】
１１…位置管理サーバ
１２…プリファレンス管理サーバ
１３…セッション制御サーバ
【図１】
2011155355.tif 000003
【図２】
2011155355.tif 000004
【図３】
2011155355.tif 000005
【図４】
2011155355.tif 000006
【図５】
2011155355.tif 000007
【図６】
2011155355.tif 000008